【事件の表示】
　特願２００４−２０８９７５「通信装置および通信装置の操作方法」拒絶査定不服審判事件〔平成１７年　２月１７日出願公開、特開２００５−　４５７９４〕について、次のとおり審決する。
【結　論】
　本件審判の請求は、成り立たない。
【理　由】
１．手続の経緯・本願発明 
　本願は、平成１１年１月２０日に出願した特願平１１−１１９５８号の一部を新たな特許出願としたものであって、平成１７年８月１６日付けで拒絶査定がなされ、これに対し同年９月２０日に審判請求がなされるとともに、同年１０月７日付けで手続補正がなされ、平成１９年９月４日付けで当審より通知された拒絶理由に対し、同年１１月２日付けで意見書の提出及び手続補正がなされたものである。
　
 本件出願の請求項２に係る発明（以下、「本願発明」という。）は、上記平成１９年１１月２日付けで補正された明細書および図面の記載からみて、その特許請求の範囲の請求項２に記載された次のとおりのものである。 
　
（本願発明）
　「【請求項２】
　あらかじめ用意されている機能を表示する第１のメニュー手段と、登録された機能を実行するために該機能を表示する第２のメニュー手段と、前記第１のメニュー手段が表示する機能を前記第２のメニュー手段に登録する登録手段と、前記登録手段によって機能を登録するときに、機能を登録するための記憶容量が残っていないと判断した場合には前記第２のメニュー手段にすでに登録されている機能を削除することを特徴とする通信装置。」 
　
　
２．引用発明および周知技術
（１）引用発明
　当審の拒絶の理由に引用された刊行物である特開平４−２０７６９４号公報（以下、「引用例」という。）には、「遠隔操作システム」として、図面と共に次の記載がある。
　
イ．「３．発明の詳細な説明
　産業上の利用分野
　本発明は、主としてオーディオ・ビデオ機器をＣＲＴ等に表示されたグラフィック画面をリモコン送信機で指示選択することによって制御する遠隔操作システムに関する。
　従来の技術
　従来、機器操作を行う手段として、赤外線リモコンを用いたものが多く、特にオーディオ・ビデオ機器の制御を行う場合には一般的になっている。
しかし、機器がより高機能化あるいは共通の信号伝送路を介し、通信手段を用いたシステム化が広まるにつれ、操作単位毎にキーが割り当てられた従来のリモコン送信機で機器を操作することはキーの数の制限および操作のしやすさ等でより困難となってきている。
　第８図は従来の遠隔操作システムの構成図である。１４はＢＳ受信機及び文字放送受信機内蔵のテレビジョン受信機である映像情報端末である。
映像情報端末１４は共通の信号伝送路１に通信制御部４を介して接続されている。また、ＶＴＲ２０およびレーザーディスクプレーヤ（ＬＤＰ）２２も自己の通信制御部２１および２３を介して信号伝送路１に接続されている。映像情報端末１４は、自己の操作に関するメニューおよびＶＴＲ２０、ＬＤＰ２２の操作に関するメニューを操作メニュー記憶部９にて記憶しており、処理部１５は必要に応じて操作メニュー記憶部９から操作メニュー項目を読みだし、文字及び図形を表示制御する文字・図形表示制御部５を制御して、ブラウン菅等で構成される表示部６に操作メニューを表示する。
　３４はリモコン送信機であり、複数のキー４０〜４６またはカーソルで構成される入力部３５を具備する。選択キー４０〜４５は表示部６に表示された操作メニューを選択するときに使用するキーであり、キー４６は表示部６上に操作メニューの表示ＯＮを要求あるいは操作メニューの表示ＯＦＦを要求するときに使用するキーである。
　リモコン送信機３４からのリモコン信号はリモコン受信部７にて受信し、リモコン信号のデコード情報を処理部１５に出力する。処理部１５はリモコン信号のデコード情報を解析し、更に異なる操作メニューを操作メニュー記憶部９から読みだし文字・図形表示制御部５を制御して表示部６に表示したり、あるいは機器制御部８を制御して内部のデバイスおよび機器を制御したり、あるいは通信制御部４を制御して制御コマンドを信号伝送路１に送信することにより該当するオーディオ・ビデオ機器（ＶＴＲ２０およびＬＤＰ２２）を制御するといた処理を行なう。
　第３図は操作メニューの表示形式の構成例である。
　映像情報端末の表示部６には操作メニュー項目の名称を記す領域１００と選択項目１０１〜１０６から構成される操作メニューが表示されている。
利用者は選択項目１０１〜１０６の中から自己が選択したい項目に該当する番号の付されたリモコン送信機３４の入力部３５内のキー４０〜４５を押すことにより操作する。このように画面上に選択項目を表示し、選択項目をリモコン送信機のキーまたはカーソルで選択するような操作方式では、選択枝の表示個数の制限から複数の選択項目からなる操作メニューは階層的な構造にならざるをえない。
　第５図は階層化された操作メニューの一部を示したものである。
　利用者はある操作をしたい場合、リモコン送信機３４の入力部３５内のメニューキー４６を押すことによりまず最初にホームメニュー２００が表示される。その後自分が操作したい項目をリモコン送信機３４の入力部３５内の選択キー４０〜４５のいずれかを押す事により深い階層へ操作を移行させ、目的とする操作に到達させる。
　例えば、テレビの色の濃さを濃くしたい場合、まずホームメニュー２００から”テレビ”をリモコン送信機３４の選択キー４０を押すことにより選択する。表示部６に表示される操作メニューは次の階層である２０１となる。利用者は次に”映像調整”をリモコン送信機３４の選択キー４１を押すことにより選択する。表示部６に表示される操作メニューは次の階層である２０３となる。利用者は次に”色の濃さ”をリモコン送信機３４の選択キー４０を押すことにより選択する。表示部６に表示される操作メニューは次の階層である２０８となる。この操作メニューを表わしたのが第４図である。最後に、利用者は色の濃さを濃くしたいので″ＵＰ″に該当する選択キー４０を目的とする濃さになるまで押す。
　発明が解決しようとする課題
　ところで、このような従来の遠隔操作システムではシステムの構成機器が増大したり、各機器の機能がアップすると操作メニューの階層が深くなり、目的とする操作に到達するまで何回も選択項目の選択操作を行なわなければならないという煩雑さがある。特に、前の操作を繰り返し行ないたい場合や、頻度の高い操作に関しては利用者がいちいちホームメニューから順番に選択操作を行なうことに面倒な感情を覚えたりする問題点があった。」
（２頁右上欄５行〜３頁左下欄４行）
　
ロ．「　課題を解決するための手段
　上記問題点を解決するために第１の発明は、・・・（中略）・・・
　第２の発明は、リモコン送信機の入力部を通じて選択指示することにより映像情報端末を操作する遠隔操作システムにおいて、映像情報端末は、リモコン送信機からのリモートコントロール信号を受信し、デコード情報を出力するリモコン受信手段と、操作単位毎に分類された階層構造の操作メニューを格納した操作メニュー格納手段と、表示手段と、リモコン受信手段からのデコード情報を解読して対応する操作メニューを操作メニュー格納手段から読出し表示手段にて表示する操作メニュー読出し手段と、表示されている操作メニューの内容に対応して内部デバイスを制御するデバイス制御手段と、リモコン送信機の入力部における特定のキー又はカーソルを操作することにより、１又は２以上の階層をショートカットして直ちに表示すべき操作メニューを登録するショートカット登録手段と、リモコン送信機の入力部における前記キー又はカーソルとは別の特定キー又はカーソルを操作することにより、前記ショートカット登録手段に登録された操作メニューを呼出し、表示手段に表示する登録呼出し手段と、を備えていることを特徴としている。
　作用
　第１の発明によれば、・・・（中略）・・・
　第２の発明によれば、ショートカット登録手段によって直ちに表示すべき操作メニューを登録できるし、登録呼出し手段によってその操作メニューを直ちに表示手段にて表示できる。表示された内容は第１の発明と同じく内部デバイスの制御にも用いられる。」
（３頁左下欄５行〜４頁右上欄５行）
　
ハ．「　第２図は第２の発明の一実施例を示す遠隔操作システムの構成図である。第８図と共通するものに関しては同じ番号を付し一部説明を省略する。
　第２図において、１１はＢＳ受信機及び文字放送受信機内蔵のテレビジョン受信機である映像情報端末である。映像情報端末２は共通の信号伝送路１に通信制御部４を介して接続されている。また、ＶＴＲ２０およびレーザーディスクプレーヤ（ＬＤＰ）２２も自己の通信制御部２１および２３を介して信号伝送路１に接続されている。映像情報端末１４は、自己の操作に関するメニューおよびＶＴＲ２０、ＬＤＰ２２の操作に関するメニューを操作メニュー記憶部９にて記憶しており、処理部１２は必要に応して操作メニュー記憶部９から操作メニュー項目を読みだし、文字及び図形を表示制御する文字・図形表示制御部５を制御して、ブラウン管等で構成される表示部６に操作メニューを表示する。この映像情報端末１１が第８図の端末１４と異なる点は、ショートカット操作管理部１３を備えたことである。
　３２はリモコン送信機である。第８図のリモコン送信機３４と異なる点は入力部３３内の構成で利用者がショートカット操作をしたい操作メニューを登録する意味をもつショートカット操作登録キー４８と、利用者が登録したショートカット操作の操作メニューを呼び出す意味をもつショートカット操作呼び出しキー４９を付加したことにある。
　リモコン送信機３２からのリモコン信号はリモコン受信部７にて受信し、リモコン信号のデコード情報を処理部３に出力、する。処理部１２はリモコン信号のデコード情報を解析し、第５図で示すように更に深い階層の操作メニューを操作メニュー記憶部９から読みだし文字・図形表示制御部５を制御して表示部６に表示する。そして、実際の操作目的とする操作メニューを利用者がリモコン送信機３３の選択キー４０〜４５を押すことにより、処理部１２は機器制御部８を制御して内部のデバイスおよび機器を制御したり、あるいは通信制御部４を制御して制御コマンドを信号伝送路１に送信することにより該当するオーディオ・ビデオ機器（ＶＴＲ２０およびＬＤＰ２２）を制御するといた処理を行なう。
　ショートカット操作管理部１３は、ショートカット操作を登録するために必要なメニュー情報およびショートカット操作を選択するために必要なメニュー情報を保持し、また登録されたショートカットの操作メニューの識別情報を管理する。
　次に、第１０図のフローチャートにしたがって実際の操作例を述べる。
　利用者はある操作をしたい場合、リモコン送信機３２の入力部３３内のメニューキー４６を押すことにより（＃２１）、まず最初にホームメニューが表示される（＃２２）。このときのホームメニューの画像を第３図に示す。その後自分が操作したい項目をリモコン送信機３３の入力部３１内の選択キー４０〜４５のいずれかを押す事により指示すると（＃２５）、プログラムは第５図の階層構造に沿ってより深い階層へ操作を移行させ（＃２７）、やがて目的とする操作に到達させる。
（＃２６→＃２８）。
　例えば、テレビの色の濃さを濃くしたい場合、まずホームメニュー２００から”テレビ”をリモコン送信機３２の選択キー４０を押すことにより選択する。表示部６に表示される操作メニューは次の階層である２０１となる。利用者は次に”映像調整”をリモコン送信機３２の選択キー４１を押すことにより選択する。表示部６に表示される操作メニューは次の階層である２０３となる。利用者は次に”色の濃さ”をリモコン送信機３２の選択キー４０を押すことにより選択する。表示部６に表示される操作メニューは次の階層である２０８となる。この操作メニューを表わしたのが第４図である。最後に、利用者は色の濃さを濃くしたいので”ＵＰ”に該当する選択キー４０を目的とする濃さになるまで押す。これで、テレビの映像調整における色を濃くするといった目的とする操作は終了する（＃２８）。ここで、第４図で示した操作メニューが表示部６に表示されている状態で利用者がリモコン送信機３２の入力部３３内のショートカット操作登録キー４８を押すと（＃２９）、ショートカット操作の登録を意味するリモコン信号がリモコン受信部７にて受信され、デコード情報が処理部１２に入力される。処理部１２は、ショートカット操作管理部１３からショートカット操作登録用のメニュー情報を読みだし、文字・図形表示制御部５を制御し、表示部６にショートカット操作登録メニューを表示する（＃３０）。このショートカット操作登録メニューを表わしたのが第６図である。第６図では既にテレビのチャンネル操作メニューが番号１に（第６図の３０１）、テレビの音多切替の操作メニューが番号２（第６図の３０２）に登録されている状態を示している。
　ここで、利用者は今自分が操作したテレビの映像調整の色の濃さの操作メニュー（第４図）をたとえば番号３（第６図の３０３）に登録するために、リモコン送信機３２の入力部３３内の選択キー４２を押すと（＃３１）、処理部１２はテレビの映像調整の色の濃さの操作メニューの名称および識別情報と番号３の情報をショートカット操作管理部１３に格納する（＃３２）。これにより、テレビの映像調整の色の濃さの操作メニューはショートカット操作登録メニューの番号３に登録される。
　次に、利用者が再度、テレビの色の濃さを調整したい場合、リモコン送信機３２の入力部３３内のショートカット操作呼び出しキー４９を押す（＃３６）。ショートカット操作呼び出しキーのリモコン信号はリモコン受信部７にて受信され、デコード情報が処理部１２に入力される。処理部１２は、ショートカット操作管理部１３から既に登録されているショートカット操作項目を含めたショートカット操作メニューを読みだし、文字・図形表示制御部５を制御して表示部６に第７図で示す操作メニューを表示する（＃３７）。テレビの映像調整の色の濃さの項目は３１３に既に登録されているので利用者はリモコン送信機３２の入力部３３内の番号３の選択キー４２を押す（＃３８）。選択キー４２のリモコン信号はリモコン受信部７にて受信され、デコード情報が処理部１２に入力される。処理部１２は、ショートカット操作管理部１３から３番に登録されている操作メニューの識別情報を読みだし、テレビの映像調整の色の濃さの操作メニュー情報を操作メニュー記憶部９から読みだし、文字・図形表示制御部５を制御して表示部６に第４図で示す操作メニューを表示する（＃３９）。
　以上のように利用者が操作顧度の高い操作メニューをショートカット操作登録キー４８を利用して登録し、ショートカット操作呼び出しキー４９を利用して呼び出し選択することにより、正規の階層的な操作メニューの選択操作の手順を踏まずして、瞬時に目的とする操作メニューを表示せしめ、実際の機器の制御を行なう事ができる。
　発明の効果
　以上のように本発明によれば、利用者がよく行なう繰り返しの操作に関して、利用者が過去に操作した操作メニューを簡易な方法により呼び出し表示し、再度操作可能とすることができ、特に繰り返しの操作に関しての操作の簡略化を促進することができ、その実用的効果は大である。」
（５頁左下欄１５行〜７頁右上欄１６行）
　
　
　上記イによれば、その第８図には引用例の従来例として、テレビジョン受信機である「映像情報端末１４」、「リモコン送信機３４」を備えた「遠隔操作システム」が開示されており、その「映像情報端末１４」は「自己の操作に関するメニューおよびＶＴＲ２０、ＬＤＰ２２の操作に関するメニューを操作メニュー記憶部９にて記憶」しており、利用者の「リモコン送信機３４」の操作に応じて「表示部６に操作メニューを表示する」ことが記載されている。
　また、上記イによれば、その第３図には上記「操作メニューの表示形式の構成例」が開示され、その第５図には「階層化された操作メニューの一部」が示されており、このような「操作メニュー」は、利用者による「リモコン送信機３４」のボタン操作に先だって表示されるのであるから、「予め用意されている操作を表示する操作メニュー」ということができる。
　
　そして上記ロには、上記引用例従来技術の持つ課題を解決するため、従来例と同様な「操作メニュー格納手段と、表示手段」を備えた「遠隔操作システム」に、「１又は２以上の階層をショートカットして直ちに表示すべき操作メニューを登録するショートカット登録手段」および「ショートカット登録手段に登録された操作メニューを呼出し、表示手段に表示する登録呼出し手段」を付加した構成が、引用例の第２の発明として記載されている。
　
　更に上記ハには、上記引用例の第２の発明の実施例として、その第２図に関して５頁左下欄１５行〜右下欄１２行には、
「映像情報端末１１」、「リモコン送信機３２」を備えた「遠隔操作システム」が開示されており、その「映像情報端末１１」は「自己の操作に関するメニューおよびＶＴＲ２０、ＬＤＰ２２の操作に関するメニューを操作メニュー記憶部９にて記憶」しており、「表示部６に操作メニューを表示する」ともあるから、上記引用例の従来例の記載も勘案すれば、引用例には「予め用意されている操作を表示する操作メニュー手段」を有する「遠隔操作システム」が開示されているということができる。
　
　また上記ハには、引用例の第２の発明において新たに付加された上記「ショートカット」に関連する構成として、
第２図の「リモコン送信機３２」に、「利用者がショートカット操作をしたい操作メニューを登録する意味をもつショートカット操作登録キー４８」と、「利用者が登録したショートカット操作の操作メニューを呼び出す意味をもつショートカット操作呼び出しキー４９」を付加したとあり（５頁右下欄１５行〜６頁左上欄２行）、
これに対応して「映像情報端末１１」には、「ショートカット操作を登録するために必要なメニュー情報およびショートカット操作を選択するために必要なメニュー情報を保持し、また登録されたショートカットの操作メニューの識別情報を管理」する「ショートカット操作管理部１３」を備えた（６頁左上１８行〜右上欄２行）とも記載がある。
　そして、図１０のフローチャートの操作例および関連する第４図、第６図、第７図を参照すれば、
第４図の「操作メニュー」に「表示」された「操作」（＃２３〜＃２８、「テレビ・映像調整・色の濃さ」）が、「ショートカット操作登録キー４８」の押下（＃２９）により、第６図の「ショートカット操作登録メニュー」（＃３０）を経て「ショートカット操作管理部１３」に登録（＃３２）され、
後刻、「ショートカット操作呼び出しキー４９」の押下（＃３６）によって、既に「登録」されている「ショートカット操作」が「ショートカット操作管理部１３」から読み出され、第７図の「ショートカット操作メニュー」として「表示」され（＃３７〜３９）、「実際の機器の制御を行う」（７頁右上欄９行）即ち「実行」されるものであることを読み取ることができる。
　
　以上をまとめると引用例には、次の発明（以下、「引用発明」という。）が記載されている。
　
（引用発明）
「　あらかじめ用意されている操作を表示する操作メニュー手段と、登録されたショートカット操作を実行するために該ショートカット操作を表示するショートカット操作メニュー手段と、前記操作メニュー手段が表示する操作を前記ショートカット操作メニュー手段に登録するショートカット操作管理部と、を有する遠隔操作システム。」 
　
　
（２）周知技術
　例えば特開平９−１３４２７３公報（以下、「周知例１」という。）には図面とともに以下の事項イが記載されており、
特開平４−３３５７６５号公報（以下、「周知例２」という。）には図面とともに以下の事項ロが記載されており、
特開平８−３１４９１９号公報（以下、「周知例３」という。）には図面とともに以下の事項ハが記載されている。
　
イ．「【００２７】以上のようにして作成された履歴ファイルは、図１２に示すように一連の操作内容が履歴番号と共に記憶されたものとされる。そして、記憶手段４８の履歴ファイルの容量が定まっているので、記憶容量を越えて操作内容が記憶される場合には、最も古く記憶された一連の操作内容、つまり、最も若い履歴番号の操作内容が消去され、新たな一連の操作内容の記憶が行われる。」
（周知例１、５頁８欄）
　
ロ．「【請求項１】　　電話番号を含む相手先データをメモリに登録するファクシミリ装置において、通信手順中に上記相手先データを認識する認識手段と；上記相手先データの登録用メモリの容量がいっぱいになった状態で、既に登録されている相手先以外と通信した場合、所定の優先順位にしたがって登録相手先データを消去し、新たな相手先データの登録を行う登録制御手段と；を有することを特徴とするファクシミリ装置。」
（周知例２、２頁１欄）
　
ハ．「【００１７】他方、図４のステップＢ４で学習メモリ６がフル状態で、空エリアが無いことが検出されると、ステップＢ６に進み、学習メモリ６内に登録されている各既存データのうち、予め決められている一定の規則にしたがっていずれか１つの学習データを削除対象として特定するために削除データ判断処理が行われる。」
（周知例３、４頁６欄）
　
　
　上記周知例１〜３の記載及び添付図面によれば、
「記憶容量を越えて操作内容が記憶される場合には、最も古く記憶された一連の操作内容、つまり、最も若い履歴番号の操作内容が消去され」（周知例１，イ））、
「相手先データの登録用メモリの容量がいっぱいになった状態で、既に登録されている相手先以外と通信した場合、所定の優先順位にしたがって登録相手先データを消去し、新たな相手先データの登録を行う登録制御手段」（周知例２，ロ）、
「学習メモリ６がフル状態で、空エリアが無いことが検出されると、・・・（中略）・・・削除データ判断処理が行われる。」（周知例３，ハ）、
などとあるから、
「メモリにデータを登録する際に記憶容量が足りない場合には、既登録データを削除すること」は周知の技術であるということができる。
（以下「周知技術」という。）
　
　
　
３．対比・判断 
　本願発明と引用発明とを対比する。
　引用発明の「あらかじめ用意されている操作を表示する操作メニュー手段」における「操作」とは、引用例の従来技術の記載、第８図、第４図、第５図等を参照すれば、「テレビジョン受信機である映像情報端末１４」、「ＶＴＲ２０およびレーザーディスクプレーヤ（ＬＤＰ）」などの機器操作、制御を行うものであり、例えば「テレビ・映像調整・色の濃さ」を「ＵＰ］，「ＤＯＷＮ」するものであるから、機器操作の「機能」を奏するものであって、「機能」と呼ぶことができるものであるから、本願発明の「機能」である点において一致する。
　そして、このような「機能」を表示する、引用発明の「操作メニュー手段」は「メニュー手段」である点において本願発明と一致し、これを「第１のメニュー手段」と呼ぶことは任意であるから、本願発明の「第１のメニュー手段」である点においても一致する。
　また、引用発明の「登録されたショートカット操作を実行するために該ショートカット操作を表示するショートカット操作メニュー手段」における、「ショートカット操作」も「操作」の一種であるから上記のように「機能」と呼ぶことができるものであって、このような「機能メニュー手段」を「第２のメニュー手段」と呼ぶことも任意であるから、本願発明の「登録された機能を実行するために該機能を表示する第２のメニュー手段」である点においても一致する。
　また、引用発明の「前記操作メニュー手段が表示する操作を前記ショートカット操作メニュー手段に登録するショートカット操作管理部」は、上記の一致点を踏まえれば「前記第１のメニュー手段が表示する機能を前記第２のメニュー手段に登録する」ものであるから「登録手段」と呼ぶことができるものであって、「第１のメニュー手段が表示する機能を前記第２のメニュー手段に登録する登録手段」である点において、本願発明と一致する。
　また、引用発明の「遠隔操作システム」は、引用例の第２図などを参照すれば、その「映像情報端末１１」内に「信号伝送路１」を介して「ＶＴＲ２０」、「ＬＤＰ２２」などを制御、操作するための通信を行う「通信制御部４」を有しているから、「通信装置」と言うことができるものであって、この点においても本願発明と一致する。
　
　以上をまとめると、両者は、以下の点で一致し、また相違する。
　
（一致点）
「　あらかじめ用意されている機能を表示する第１のメニュー手段と、登録された機能を実行するために該機能を表示する第２のメニュー手段と、前記第１のメニュー手段が表示する機能を前記第２のメニュー手段に登録する登録手段とを有する通信装置。」
　
（相違点）
　「登録手段」の動作に関し、本願発明は「登録手段によって機能を登録するときに、機能を登録するための記憶容量が残っていないと判断した場合には前記第２のメニュー手段にすでに登録されている機能を削除する」のに対し、引用発明の「ショートカット操作管理部」（登録手段）にはそのような動作の記述がない点。
　
　
　上記相違点について検討する。
　上記周知例１〜３によれば、「メモリにデータを登録する際に記憶容量が足りない場合には、既登録データを削除すること」は周知技術である。
　このような周知技術は、情報処理技術一般に広く慣用のものと認められるから、これを同様な情報処理技術を利用する引用発明に適用することに格別の阻害要因は見あたらない。
　とすれば、引用発明の「ショートカット操作管理部」（登録手段）に上記周知技術を適用して、上記周知技術の「データ」を「機能」（操作）となし、「メモリ」を「登録手段」（ショートカット操作管理部）の「記憶」領域となし、メモリの「記憶容量が足りない場合」とはすなわち「記憶容量が残っていないと判断」される場合に他ならず、その判断結果に基づいて「既登録データを削除」、すなわち「すでに登録されている機能を削除する」ようになすことは、当業者であれば容易になし得る程度の事項と認めざるを得ない。
　
　そして、本願発明の効果も、引用発明及び周知技術から当業者が予測し得る範囲のものである。 
　 
４．むすび 
　以上のとおり、本願発明は、引用発明及び周知技術に基づいて当業者が容易に発明をすることができたものであるから、特許法第２９条第２項の規定により特許を受けることができない。 
　 
　よって、結論のとおり審決する。